(57)【要約】  本発明は、衛生器具の分野に関し、特に、排便時の着用者の皮膚の汚れを低減するための手段に関する。特に、本発明は、開口又はスリットなどの糞便通路として不連続性を有する皮膚保護シートを含む衛生物品に関する。使用中、シート及び不連続部は、プル手段によって肛門に向かって促され、展開手段によって広げられて、糞便が不連続部を通過できるが、他の場所で着用者の皮膚から分離されるようにする。【選択図】図２Ａ
2021536301.tif 000002
【特許請求の範囲】
【請求項１】
衛生物品であって、
・着用者の下半身に着用され、
・身体滲出物を受け取り且つ保持するように適合されており、
・前記物品は、
長さ／縦／ｘ−方向と、
それに垂直で、意図された使用中におけるユーザの左右の向きに対応する幅／横／ｙ方向と、
両方に垂直な厚さ／ｚ方向と、
長手方向に延びる中心線と、
を示し、
前記物品は、意図された使用中における着用者に関連して、
後方ウエスト領域及び前方ウエスト領域であって、
各々が、交差方向に反対側の第１及び第２サイドパネルセクションと、その間の中央セクションとを含んだ後方ウエスト領域及び前方ウエスト領域と、
前記ウエスト領域の間に長手方向に配置された股点領域であって、
意図された使用中において、着用者の肛門開口部と生殖器との間に配置された股点を含んだ股点領域と、
を備え、
前記物品は、
製造構成から、
使用中の構成へと
変換されるように適合されており、
前記衛生物品は、
着用者の前記前方又は後方ウエスト領域から前記股点領域を通って着用者の反対側のウエスト領域に延びる前記長手方向に延びる中心線によって一般的なＵ字形を採用し、
前記前方及び後方ウエスト領域は、着用者のウエストを取り囲むように適合されており、
・前記物品は、
皮膚保護シート（ＳＰＳ）であって、
前記前方及び後方ウエスト部分の少なくとも一方の少なくとも一部において、着用者の皮膚と直接接触することを意図した上部ＳＰＳ表面と；
反対側のＳＰＳ表面と；
を備え、
使用中の構成において身体滲出物を放出する身体開口部又は生殖器に位置合わせされるように適合された少なくとも１つの開口部を備え、
前記前方又は前記後方ウエスト領域から、少なくとも前記物品の前記股点領域に、任意選択的に反対側のウエスト領域に、延びている、
皮膚保護シート（ＳＰＳ）と、
任意選択的に、滲出物分離シート（ＥＳＳ）であって、
前記反対側のＳＰＳ表面に隣接して配置され、
少なくとも前記股点領域で前記ＳＰＳに接続されており；
前記股点領域から前記前方及び後方ウエスト領域の少なくとも一方に向けて延びている、
滲出物分離シート（ＥＳＳ）と、
実質的に非弾性の長手方向短縮プル手段（ＰＭ）と、
少なくとも交差方向の展開手段（ＳＭ）と；
前記ＳＰＳの外面の反対側に配置された前記物品中の身体滲出物を保持するように適合されたバックシートと；
少なくとも使用中の構成において、前記ＳＰＳの外側に交差方向に延びるサイドパネルと；
任意選択的に、前記ＳＰＳと前記バックシートとの間にｚ方向に配置された吸収性コアと；
を備え、
・前記物品は、
前記製造構成において、
前記ＳＰＳ及び前記ＥＳＳの少なくとも１つは、前記物品の長手方向中心線に向かって、但し長手方向中心線を越えないように、長手方向折り線に沿って折り返される長手方向サイドマージンを備えており、
前記プル手段は、
実質的に前記長手方向に延びる中心線に沿って、
前記ＳＰＳの上面又は反対側の表面に対して
配置され、
前記ＳＰＳ又はＥＳＳの前方又は後方ウエスト領域の前記交差方向に延びるマージンの少なくとも１つから前記股点に向かって延びており、
任意選択的に、反対側のウエスト領域に向かって又はその中へと更に延び、
前記ＳＰＳの前記開口部を覆う場合、前記ＳＰＳの前記開口部に位置合わせされたプル手段開口部を更に備え、
前方又は後方ウエスト領域で、前記ＳＰＳ又はＥＳＳの前記折り畳まれた部分に接続されており、
長手方向に延びるウエスト分離ラインであって、
前記物品の長手方向に延びる中心線と整列しており、
前記前方及び／又は後方ウエスト領域から、前記ＳＰＳの前記少なくとも１つの開口部に向かって延びているが、前記開口部の中までは延びておらず、
利用可能な長手方向の延長を短縮するために、前記プル手段の前端又は後端を交差方向外向きに引っ張ることを可能にする、
ウエスト分離ラインを備え、
開口部の中に延びる場合には、前記ＳＰＳの開口部に位置合わせされたプル手段開口部を更に備えており、
前記展開手段（ＳＭ）は、
前記ＳＰＳ又はＥＳＳの前記折り畳まれた部分の、前記開口部の交差方向外側への前記ＳＰＳ又はＰＭの外面への接続、
プル手段ストリップであって、
分離線によって前記プル手段から部分的に切断され、
前記分離線は、
前記プル手段の長手方向サイドマージンから延びて交差し、
前記プル手段の開口部と交差する前に、終端点に向かって、しかし終端点で終端しており、
それによって、
前記長手方向に延びるサイドマージンの前記交差点が、
前記股点から、
前記分離線の前記終端点よりも更に離れており、
その交差方向の外側の端で、前記ＳＰＳ又はＥＳＳの前記折り畳まれた部分に接続されている、
プル手段ストリップ、
折り畳みストリップであって、
分離線によって、前記ＳＰＳ又はＥＳＳの前記折り畳まれた部分から部分的に切断され、
前記分離線は、
前記ＳＰＳ又はＥＳＳの長手方向に折り畳まれたサイドマージンから延びて交差し、
終端点に向かって、
前記開口部の交差方向外側に
延びており、
それにより、前記長手方向に延びるサイドマージンの前記交差点は、前記終端点からよりも前記股点から離れていない、
折り畳みストリップ、並びに、
プレカットされた開口部を交差方向に開いた状態に維持するように適合された補強手段であって、任意選択的に皮膚接着剤タイプの取り付け手段を備えた補強手段、
からなる群より選択され、
前記使用中の構成において、
前記ＳＰＳは、前記ＰＭによって着用者の臀裂に適合するようにｚ方向に持ち上げられるように適合されており、
前記ＳＰＳの少なくとも１つの開口部は、前記ＳＭによって交差方向に開いた状態に維持される、
衛生物品。
【請求項２】
前記折り畳みストリップについて、分離線によって前記ＳＰＳ又はＥＳＳの前記折り畳み部分から部分的に切断されたとき、前記終端点は、前記ＰＭ又は前記ＳＰＳをｚ方向に覆うように配置される、請求項１に記載の衛生物品。
【請求項３】
親水化不織布材料、疎水性不織布、フィルム、開孔フィルム、及びそれらの組み合わせからなる群より選択されるＥＳＳを備えている、請求項１又は２に記載の衛生物品。
【請求項４】
製造構成において、
前記ＰＭは、中央ピースの前記折り畳まれた長手方向延在サイドマージンの前記幅方向距離よりも大きい幅方向延長を示し、それにより、前記ＳＰＳ又は前記ＥＳＳは、存在する場合には、少なくとも１つの不連続部の近傍に接続される、請求項１乃至３の何れか１項に記載の衛生物品。
【請求項５】
更に、前記ＳＰＳ及びＳＭは実質的に非弾性である、請求項１乃至４の何れか１項に記載の衛生物品。
【請求項６】
製造構成において、前記物品の前駆体は、物品の全長を示し、長手方向中心線に沿った特徴点によって分離された部分を含み、前記特徴点間の距離は、以下の範囲を示し、
−後方ウエストマージンからウエスト分離線の前端まで：１０％から２５％；
−分離線の前端から後部不連続部の中点まで：２０％から４０％；
−後部不連続部の中点から前部不連続部の中点まで：１５％から２５％；
−前部不連続部の中点から前部への前方ウエスト分離線の後端まで：５％から２５％；
−前方ウエスト分離線の後端から前方ウエストマージンまで：１０％から２５％、これにより、各パーセンテージの数字は物品の全長に対応する１００％まで加算され、特定の特徴が存在しない場合には、次の特徴点までの距離がカウントされる、
請求項１に記載の衛生物品。
【請求項７】
前記物品が、乳児用おむつ、成人用失禁用品、及び女性用衛生用品からなる群より選択される吸収性物品である、請求項１乃至６の何れか１項に記載の衛生物品。
【請求項８】
衛生物品の製造方法であって、前記方法は、必ずしも以下の順序である必要はない以下の工程：
センターピースウェブであって、
バックシートウェブ、好ましくは液体不浸透性ウェブと、
前記バックシートウェブと一体であるか、又は、別個のウェブ材料として、好ましくは通気性ウェブとして提供されるサイドパネルと
を備えたセンターピースウェブと；
皮膚保護シート（ＳＰＳ）用のウェブ材料と；
プル手段（ＰＭ）用の実質的に非弾性のウェブ材料であって、任意選択的に展開手段（ＳＭ）と一体であり、次いで、結合されたプル及び展開手段（ＣＰＳＭ）を形成する非弾性のウェブ材料と；
接着剤と；
を提供する工程と、
前記ＰＭウェブ及び任意選択的にＰＭ拡散ストリップ分離線にウエスト分離線を適用する工程と、
前記ＳＰＳウェブに後部又は前部分離線を適用する工程と、
前記ＰＭウェブから所定の長さの断片を分離し、これらを前記ＳＰＳウェブと組み合わせる工程と、
前記組み合わされたＰＭ−ＳＰＳウェブから所定の長さの断片を分離し、これらを前記センターピースと組み合わせる工程であって、好ましくは、組み合わされたＰＭ−ＳＰＳから分離された断片の所定の長さは、前記センターピースの長さに対応する工程と、
平坦な前記ＰＭ−ＳＰＳ−センターピース複合材に接着剤を適用する工程と、
平坦な物品の前駆体の長手方向のサイドマージンを折り畳み、折り畳まれた部分を、好ましくは接着剤によって接続する工程と、
前記折り畳まれた平坦な物品の前駆体を個々の物品に分離する工程と、
を含んだ製造方法。
【請求項９】
以下の群より選択される１つ又は複数の製造工程を更に含むが、必ずしも以下の順序である必要はない、請求項８に記載の方法。
ＥＳＳウェブ材料を提供する工程、
展開手段を提供する工程であって、
ＣＰＳＭ材料から、又は、
センターピースの長手方向に折り畳まれた部分に対応する交差方向のサイドマージンからの、
部分的に分離された展開手段ストリップとして、
センターピースの長手方向に折り畳まれた部分を、開口を形成するための分離線に隣り合って、ＳＰＳ又はＰＭのユーザ指向表面に接続することによって、
補強手段と共に
提供する工と、
長手方向の分離線を、長手方向の中心線に沿ったウエスト分離線としてＰＭウェブ材料に適用する工程であって、これらが、センターピースと組み合わせた後、前縁又は後縁から離れて延びるが、プル手段の全長には亘らないようにする工程、
製品の中心線に隣接して配置されたウエスト領域の少なくとも１つにおいてＳＰＳ又はＢＳにカットアウトを適用する工程であって、前記カットアウトの幅は好ましくはＰＭの幅に対応している工程、
後部又は前部の開口に対応する分離線の周辺でＳＰＳ及び／又はＰＭに接着剤を適用する工程、
前記ＳＰＳ及び前記ＰＭに、好ましくは同時に、前方及び／又は後方開口用の分離線を適用する工程、
浸出物分離シート（ＥＳＳ）ウェブ材料を提供し、これを、少なくとも実質的に交差方向に延びる接続に沿った股点領域に対応する領域で、前記ＳＰＳに接続する工程であって、
それにより、任意選択的に、ＥＳＳウェブ材料は、それが第１の物品から隣り合う更なる物品まで延在し、前記更なる物品にマスキングシートを形成するように適用され得る工程、
前記サイドパネルの各々の前部及び後部を接続するように適合されたサイドクロージャ手段を提供する工程、並びに、
固定手段を提供する工程、例えば、前方又は後方のウエスト領域の少なくとも１つにおけるＰＭの上面又は反対側の表面への機械的留め具を提供する工程。
【請求項１０】
材料ウェブ又はそれから分離されたピースを更に別の材料ウェブ又はそれから分離されたピースに接続する工程は、この結合領域で接続されないままにすることを意図した他のウェブ又は部品と干渉しない限りにおいて、溶融融着接合、好ましくは超音波接合によって実行される、請求項８又は９に記載の方法。
【発明の詳細な説明】
【技術分野】
【０００１】
本発明は、衛生器具の分野に関し、特に、糞便、尿又は月経などの身体滲出物による着用者の皮膚の汚れを低減するための手段を含む衛生物品に関する。特に、皮膚保護シートを備えた物品であって、身体滲出物を放出する身体開口部又は生殖器官に位置合わせされた少なくとも１つの開口を備え、この開口は、長手方向に作用するプル手段によって付勢される一方で、展開手段によって交差方向に広げられる物品に関する。このような衛生物品は、好適には、乳幼児若しくは大人のおむつ若しくはパンツ、トレーニングパンツ、又は月経パンツであり得る。
【背景技術】
【０００２】
特に着用者が腸の動き又は排便を制御できない場合、着用者の皮膚を汚染及び／又は刺激する問題に対処するための多くの試みがある。
【０００３】
ＥＰ３５９４１０Ａ１（Ｆｒｅｅｌａｎｄ；Ｐ＆Ｇ）は、開口又は通路を有する弾性トップシートを有する使い捨て吸収性物品を開示している。
【０００４】
ＵＳ３８４８５９９Ａ（Ｓｃｈａａｒ；Ｋｅｎｄａｌｌ）は、吸収性コアの２つの部分が長手方向に部分的に重なって配置されているおむつを示している。重なり合う領域では、トップシートは、物品の交差方向の縁部に取り付けられた、横断方向の折り目を形成するように、帯状の形成部に従っている。したがって、物品の着用時又は使用中に、長手方向の力が物品の中央部分の重なりを減少させ、糞便を堆積させることができるトラフ状の空洞が形成される。
【０００５】
ＪＰ０８−１９６５６５（Ｏｎｉｓｈｉ；ＵｎｉＣｈａｒｍ）には、上層コアと下層コアとを有する吸収コアを有する吸収性物品が記載されている。上層コアは長手方向に分割され、２つの前部及び後部は、一定の距離によって分離されている。トップシートは、上部コアの端の周り、及び、上部コア層と下部コア層との間に折り畳まれ、それによって、糞便を堆積させることができるポケットが形成される。
【０００６】
ＥＰ９０８１６２Ａ２（Ｓａｙａｍａ；ＵｎｉＣｈａｒｍ）は、２つの側壁を有する補助部材がトップシート及びトップ壁に結合され、それによって排泄物ガイド開口又は通路を形成している使い捨ておむつを示している。
【０００７】
ＵＳ２００８０１１０５５３Ａ１（Ｏｔｓｕｂｏ；ＵｎｉＣｈａｒｍ）は、パンツ型おむつを開示しており、トップシートの上にあるセパレータシートが股領域で接続されている。前方及び後方において、セパレータシートは、中央領域のトップシートに接続されていない。セパレータシートの前方及び後方の長手方向の端縁は、互いに接続されており、したがって、使用中の構成において、それぞれが糞便及び尿を受け入れるための円錐状の空間を形成している。
【０００８】
ＷＯ２０１１０６４２７２Ａ２（Ｓｃｈｍｉｔｚ；Ｃ４Ｓ）は、ズボンやおむつなど、着用者の胴体下部に着用するための物品について記載している。この物品は、開口部を含む糞便トラップシートなどの柔軟な糞便分離部材を有し、これは、糞便及び皮膚各々の性器の分離が達成されるように特定の方法で取り付けられる。
【０００９】
ＷＯ２０１５／０５５６９６（Ｓｃｈｍｉｔｚ；Ｃ４Ｓ）は、上記のＷＯ２０１１／０５６２７２に記載されているように、折り畳まれた側縁及び開口部を備えた糞便トラップシートを有する吸収性物品を記載しており、開口部及びトップシート短縮手段を含むトップシートは、トップシートが着用者の皮膚に直接接触しており、開口部は使用中に着用者の肛門の領域に配置され、肛門と位置合わせされる。
【００１０】
これにより、糞便の取り扱いに関して大幅な改善がもたらされる一方で、糞便が後方に移動する傾向が依然としてあるだけでなく、糞便が着用者の性器に向かって前方に移動することもできることが見出された。現在、以前のアプローチにおけるこの残留汚染の原因は、トップシート及び／又は糞便トラップシートが着用者の臀部及び性器の上にまたがり、したがって特に臀裂において着用者の皮膚に十分に密着していないことであることが見出されている。
【００１１】
そのようなアプローチは、主に糞便の取り扱いに向けられているが、月経や尿などの他の身体滲出物の取り扱いを改善する必要があることも認識されている。
【００１２】
したがって、分離シートと滲出物放出口又は生殖器官の近傍の皮膚との接触を改善することによって着用者の皮膚からの身体滲出物の分離を改善した物品が依然として必要とされている。
【００１３】
さらに、これを、使用される材料の量を最小にして、簡単で製造しやすい設計で達成する必要があり、弾性のような特定の、しばしば高価な特性を必要とするべきではない。
【発明の概要】
【００１４】
本発明は、着用者の胴体下部に着用するための衛生用品であって、
−着用者の皮膚から身体滲出物を分離するように適合された皮膚保護シート（ＳＰＳ）と、
−身体滲出物を保持するように適合されたバックシートと、
−任意選択的に、身体滲出物の液体を吸収するように適合された吸収性コアと、
−任意選択的に、滲出物を互いに又は物品の所定の部分から分離するように適合された滲出物分離シート（ＥＳＳ）と、
を備えた衛生物品である。
【００１５】
少なくともＳＰＳは、身体滲出物を放出する身体開口部又は生殖器と位置合わせされるように適合された少なくとも１つの開口を含んでいる。物品は、物品の意図された使用の間、着用者の臀裂にＳＰＳを押し込むように構成されたプル手段と、物品の意図された使用の間、少なくとも１つの開口部を交差方向に開いたままに維持するように構成された展開手段とを更に含んでいる。
【００１６】
本発明による衛生物品は、着用者の胴体下部に着用することができ、身体滲出物を受け取り、保持するように適合させることができる。物品は、長さ／長手／ｘ方向と、それに垂直であり、その意図された使用中のユーザの左右方向に対応する幅／交差／ｙ方向と、その両方に垂直であり、長手方向に伸びる中心線である厚さ／ｚ方向とを示す。
その意図された使用中、物品は、着用者に対して、各々が交差方向に対向する第１及び第２のサイドパネル部分並びにそれらの間の中央部分を含む後方ウエスト領域及び前方ウエスト領域と、ウエスト領域の間に長手方向に配置され、着用者の肛門開口部と性器との間に配置された股点を含む股点領域とを含んでいる。
【００１７】
本発明の物品は、製造形態から使用形態に変換されるように構成され、衛生物品は、着用者の前方又は後方ウエスト領域から股点領域を通って着用者の反対側のウエスト領域に延びる長手方向に延びる中心線に沿って一般的なＵ字形を採用し、前方及び後方ウエスト領域は、着用者のウエストを取り囲むように適合されている。
【００１８】
この物品は、前部及び後方ウエスト部分の少なくとも一方並びに反対側のＳＰＳ表面の少なくとも１つの部分において着用者の皮膚と直接接触するように意図された外側ＳＰＳ表面を含む皮膚保護シート（ＳＰＳ）を含んでいる。ＳＰＳは、身体滲出物を放出する身体開口部又は生殖器と位置合わせされて使用中の構成に適合された少なくとも１つのＳＰＳ開口部を含み、前方又は後方ウエスト領域から少なくとも物品の股点領域内に、任意選択的に反対側のウエスト領域内に延びている。
【００１９】
物品は、任意選択的に、反対側のＳＰＳ表面に向かってｚ方向に配置され、少なくとも股点領域内で直接又は間接にＳＰＳに接続され、股点領域から前方及び後方ウエスト領域の少なくとも一方に向かって延びる滲出物分離シート（ＥＳＳ）を含み得る。
【００２０】
物品は、長手方向に縮むプル手段（ＰＭ）と、交差方向の展開手段（ＳＭ）と、ＳＰＳの外面の反対側に配置された物品内の身体滲出物を保持するように適合されたバックシート（ＢＳ）と、少なくとも使用中の構成においてＳＰＳの交差方向外方に延在するサイドパネル（ＳＰ）と、任意選択的に、ＳＰＳとバックシートとの間にｚ方向に配置された吸収性コアとを更に含んでいる。吸収性コアは、液体吸収性材料と、少なくとも部分的に液体透過性のエンベロープウェブとを含んでいてもよい。特定の要素の組み合わせは、吸収性コア又は少なくともＢＳ及びサイドパネルを含むセンターピースなどの前駆体又は前駆体ウェブを形成することができ、これらはバックシートと一体であってもよく、又は分離してそれに接続されていてもよい。
【００２１】
製造構成において、ＳＰＳ及びＥＳＳの少なくとも１つは、前記物品の長手方向中心線に向かって、但し長手方向中心線を越えないように、長手方向折り線に沿って折り返される長手方向サイドマージンを含んでいる。更に、プル手段は、実質的に長手方向に延びる中心線に沿って、ＳＰＳの上面又は反対側の面に対向して配置される。それによって、ＰＭは、ＳＰＳ又はＥＳＳの前方又は後方ウエスト領域における交差方向に延びるマージンの少なくとも１つから股点に向かって、任意選択的に更に反対側のウエスト領域に向かって、又は反対側のウエスト領域内に延び、その後にＳＰＳの開口部を覆う場合、ＳＰＳの開口部に位置する１つ又は複数のプル手段開口を更に含んでいる。好ましい実施態様において、ＰＭは、その後、前方又は後方ウエスト領域において、ＳＰＳ又はＥＳＳの折り畳まれた部分に接続される。加えて、プル手段は、物品の長手方向に延びる中心線と整列して長手方向に延びるウエスト分離線を含み、前方又は後方ウエスト領域からＳＰＳの少なくとも１つの開口部に向かって延びるが、ＳＰＳの少なくとも１つの開口部には入らないように延びている。ＰＭが１つ又は複数の開口部内に延在する場合には、１つ又は複数のＳＰＳ開口部に位置する１つ又は複数のプル手段開口部を更に備えている。
【００２２】
物品の展開手段は、以下からなる群より選択される。
−ＳＰＳ又はＥＳＳの折り畳まれた部分の、開口部の交差方向外側へのＳＰＳ又はＰＭの外面への接続；
−プル手段ストリップであって、プル手段の長手方向側縁部から延び、且つ、これと交差する分離線によって、プル手段の開口部と交差する前に終端点で終端することによって、プル手段から部分的に切断され、それによって、長手方向に延びる側縁部の交点が、分離線の終端点よりも股点から遠く離れて、その交差方向外端でＳＰＳ又はＥＳＳの折り畳まれた部分に接続されるプル手段ストリップ；
−開口部の側方外方にある終端点に向かってＳＰＳ又はＥＳＳの長手方向に折り畳まれた側縁部から延びて交差する分離線によってＳＰＳ又はＥＳＳの折り畳まれた部分から部分的に切り取られた折り畳みストリップであって、それによって長手方向に延びる側縁部の交差部が終端点からよりも股点から離れていない距離にある折り畳みストリップ；
−開口部の周辺領域の補強手段。
【００２３】
使用中の構成では、ＳＰＳはｚ方向に持ち上げられ、ＰＭによって着用者の臀裂に適合するように適合され、ＳＰＳの少なくとも１つの開口部は、ＳＭによって開状態に維持される。
【００２４】
折り畳まれたストリップがＳＰＳ又はＥＳＳの折り畳まれた部分から分離線によって部分的に切断されるとき、終端点は、ｚ方向にＰＭ又はＳＰＳに重なるように位置決めされる。
【００２５】
好ましくは、ＥＳＳは、親水化不織布材料、疎水性不織布、フィルム、及び開孔フィルム、又はそれらの組み合わせからなる群より選択され得る。
【００２６】
製造構成における本発明による衛生物品の場合、ＰＭは、センターピースの折り畳まれた長手方向に延びる側縁部の交差方向距離よりも大きい交差方向の延長を示し、それによってＳＰＳ又はＥＳＳは、少なくとも１つの不連続部に近接してＰＭ又はＳＰＳの上面に接続される。任意選択的に、特定の実施形態では、少なくともＳＰＳ、ＰＭ、ＳＭは、実質的に非弾性である。
【００２７】
本発明による衛生物品について、前駆体は、製造構成において、製造構成における物品の１つに対応する物品全体の長さを示し、長手方向中心線に沿った特徴点によって分離された部分を含み、特徴点の間の距離は以下の範囲を示し、それによって、特定の点Ａ〜Ｆが以下でより詳細に議論される。
−後方ウエストマージン（点Ａ）からウエスト分離ラインの前端（点Ｂ）まで：１０％から２５％；
−分離線の前端（点Ｂ）から後部不連続部の中点（点Ｃ）まで：２０％から４０％；
−後部不連続部の中点（点Ｃ）から前部不連続部の中点（点Ｄ）まで：１５％から２５％；
−前部不連続部の中点（点Ｄ）から前方ウエスト分離線の後端（点Ｅ）から前部まで：５％から２５％；
−前方ウエスト分離線の後端（点Ｅ）から前方ウエストマージン（点Ｆ）まで：１０％から２５％、
これにより、各パーセンテージの数字は物品の全長に対応する１００％まで加算され、特定の特徴が存在しない場合には、次の特徴点までの距離がカウントされる。
【００２８】
本発明による衛生用品は、乳児用おむつ、成人用失禁用品、及び女性用衛生用品からなる群より選択される吸収性物品であり得る。
【００２９】
別の態様では、本発明は、衛生用品を製造するための方法であって、これは、必ずしも以下の順序である必要はない以下の工程を含んでいる：
−センターピースウェブであって、
バックシートウェブ、好ましくは液体不浸透性ウェブと、
バックシートウェブと一体であるか、又は、別個のウェブ材料として、好ましくは通気性ウェブとして提供されるサイドパネルと
を備えたセンターピースウェブと；
皮膚保護シート（ＳＰＳ）用のウェブ材料と；
プル手段（ＰＭ）用のウェブ材料であって、任意選択的に展開手段（ＳＭ）と一体であるかそれを含んでおり、次いで、結合されたプル及び展開手段（ＣＰＳＭ）を形成するウェブ材料と；
接着剤と；
提供する工程；
−ＰＭウェブ及び任意選択的にＰＭ拡散ストリップ分離線にウエスト分離線を適用する工程；
−ＳＰＳウェブに後部又は前部分離線を適用する工程；
−ＰＭウェブから所定の長さの断片を分離し、これらをＳＰＳウェブと組み合わせる工程；
−組み合わされたＰＭ−ＳＰＳウェブから所定の長さの断片を分離し、これらをセンターピースと組み合わせる工程であって、好ましくは、組み合わされたＰＭ−ＳＰＳから分離された断片の所定の長さは、センターピースの長さに対応する工程；
−平坦なＰＭ−ＳＰＳ−センターピース複合材に接着剤を適用する工程；
平坦な物品の前駆体の長手方向のサイドマージンを折り畳み、折り畳まれた部分を、好ましくは接着剤によって、ＳＰＳ又はＰＭに接続する工程；
−折り畳まれた平坦な物品の前駆体を個々の物品に分離する工程。
【００３０】
このプロセスは、以下からなる群より選択された１つ又は複数の工程（必ずしも次の順序である必要はない）を更に含むことができる：
−ＥＳＳウェブ材料を提供する工程；
−展開手段を、
ＣＰＳＭ材料から、又は、
センターピースの長手方向に折り畳まれた部分に対応する交差方向のサイドマージンからの、
部分的に分離された展開手段ストリップとして；
センターピースの長手方向に折り畳まれた部分を、開口を形成するための分離線に隣り合って、ＳＰＳ又はＰＭのユーザ指向表面に接続することによって；
開口部に補強を適用することによって；
提供する工程；
−長手方向の分離線を、長手方向の中心線に沿ったウエスト分離線としてＰＭウェブ材料に適用する工程であって、これらが、センターピースと組み合わせた後、前縁又は後縁から離れて延びるが、プル手段の全長には亘らないようにする工程；
−ＳＰＳ又はＢＳの後部及び／又は前方ウエスト領域にカットアウトを適用する工程；
−後部又は前部の開口に対応する分離線の周辺でＳＰＳ及び／又はＰＭに接着剤を適用する工程；
−ＳＰＳ及びＰＭに、好ましくは同時に、前方及び／又は後方開口用の分離線を適用する工程；
−浸出物分離シート（ＥＳＳ）ウェブ材料を提供し、これを、少なくとも実質的に交差方向に延びる接続に沿った股点領域に対応する領域で、ＳＰＳに接続する工程；
−サイドパネルの各々の前部及び後部を接続するように適合されたサイドクロージャ手段を提供する工程；
−前方又は後方のウエスト領域の少なくとも１つにおけるＰＭの上面又は反対側の表面への固定手段を提供する工程。
【００３１】
好ましくは、材料ウェブ又はそれから分離されたピースを更に別の材料ウェブ又はそれから分離されたピースに接続する工程は、ｚ方向重なっているがこの結合領域で接続されないままにすることを意図した他のウェブ又は部品と干渉しない限りにおいて、溶融融着接合、好ましくは超音波接合によって実行される。
【図面の簡単な説明】
【００３２】
【図１】図１は、本発明による物品を着用することができる着用者の胴体下部を示している。
【図２】図２Ａ乃至Ｃは、本発明による物品の実施形態、及び、着用者の胴体下部へのその適合を示している。
【図３】図３Ａ乃至Ｄは、本発明及びその衛生製品への包含に適した特定の要素を示している。
【図４】図４Ａ及びＢは、図３による要素の代替の実施形態を示している。
【図５】図５Ａ乃至Ｈは、図３による要素の代替の実施形態を示している。
【図６】図６Ａ乃至Ｇは、本発明による更なる特定の要素を示している。
【図７】図７Ａ乃至Ｇは、本発明による更なる特定の要素を示している。
【図８】図８Ａ乃至Ｆは、本発明の更に特定の例示的な実施形態を示している。
【図９】図９は、本発明による衛生用品を製造するためのプロセスのフローチャートを示している。様々な図中の同じ数字は、同じ要素又は機能を参照している。図は概略のみであり、縮尺通りではない。
【発明を実施するための形態】
【００３３】
本発明は、以下「ＳＰＳ」と略される皮膚保護シートを含んだ衛生物品に関する。このような製品は、通常、月経中又は着用者が排尿又は排便を制御できない場合など、身体滲出物による皮膚の汚れを減らすことを目的として、人間の下半身に適用される。
【００３４】
このような衛生用品は、身体滲出物を保持し、衣類や寝具などの環境の汚れを防ぐバックシートを更に含んでいる。多くの場合、そのような物品は、液体吸収性も示す。必要に応じて、本発明による衛生物品は、例えば尿及び糞便の接触を防止すべき場合などに、互いから滲出物を分離することができ、又は、尿を受け取るように特に適合された部分が尿の吸収を妨げる可能性のある糞便によって汚染されてはならない場合などに、物品の所定の部分から滲出物を分離することができる、滲出物分離シート（ＥＳＳ）を含んでいてもよい。このように、適切な衛生用品は、乳幼児又は大人のためのおむつであってもよく、テープなどの閉鎖手段を備えた「開放型」のおむつであってもよく、又は、腰の周りにベルトのようなシステムを作るために両側で閉鎖された「パンツ型」のおむつであってもよく、トレーニングパンツ又はフィルム若しくは他の材料で作られた固定パンツであってもよい。適切な衛生用品には、液体吸収性カバーと液体不透過性カバーとを組み合わせた「オールインワン」方式のおむつ、又は、液体吸収性と液体バリア機能に対処するための別々の手段である「ツーピース」方式のおむつ、又は、吸収性物品が交換可能な吸収パッドを備えていてもよい「インサート」が含まれる。他のツーピースの実施形態は、吸収性パッドと固定手段、例えばネットパンツなどの伸縮性カバーとの組み合わせを含んでいる。本発明による物品は、例えば、排便の取り扱いを強化するために、従来の吸収性おむつ又はパンツと組み合わせて使用することもできる。
衛生用品は、使い捨てであってもよく、即ち、廃棄され、及び／又は、環境に優しい健全な方法で更に処理されていてもよく、また、再使用可能な材料から製造されてもよく、又は、再使用可能な材料を含んでいてもよい。
【００３５】
本発明による衛生用品は、毎分１００個より多く、毎分３００個より多く、毎分６００個より多く、更には毎分１０００個より多く製造することができる製造システム、好ましくは高速製造システムで製造されつつある状態を示す「製造構成」とすることができる。製造ラインの終わりに、衛生物品は、切断されて折り畳まれるなどして「包装形態」に入れられ、その中で、着用者又はケアテイカーであってもよい使用者に引き渡され、使用者は、次いで、物品を展開するなどして「使用前形態」とする。着用者が着用すると、物品は「使用中構成」になる。ＳＰＳは、製造段階で、又は、例えば「使用前構成」を確立するときに使用者によって、衛生用品前駆体と組み合わせることができる。
【００３６】
典型的には、吸収性物品は、その意図された使用中の使用者の左右の向きに対応する幅又は交差又はｙ方向を示す。更に、物品の長さ又は長手又はｘ方向は、それに垂直に、使用時の構成において、第１のウエスト領域、例えば後方ウエスト領域から股点領域を通って反対側のウエスト領域まで延び、それによって、物品の各領域は、着用者の身体領域に対応する。したがって、この使用中の構成では、物品の長手方向の中心線はＵ字形の構成をとるが、製造構成では、長手方向の中心線はしばしば直線である。更に、物品は、ｘ方向及びｙ方向に垂直な厚さ又はｚ方向を示す。使用中の構成における物品の全長は、後述するバックシートである物品の最外側線に対応しており、このＵ字状に沿って、物品の後方ウエストマージンから股下領域を通って前方ウエストマージンまで延びている。個々の物品がまだ分離されていないが、連結された物品前駆体の本質的に無限のシーケンスを表す製造構成では、物品の全長は、製造プロセスの終わりに向けて物品が隣接するものから分離されるマークアップされた又は想像上の線の間の距離に対応するとみなすことができる。
【００３７】
以下、本発明の原理を図面を参照して説明するが、図面は限定的であると考えるべきではなく、特に、例示的な実施形態として説明する様々な特徴を組み合わせることに監視て限定的であると考えるべきではない。図１は、体の矢状面の一部を概略的に示しており、胴体下部３０、脚３９の大腿上部、及び臀部３２があり、臀部は臀裂３４によって分離されている。更に示されているのは、肛門３３と生殖器であり、生殖器はここでは陰唇３７として示されているが、男性の生殖器、陰嚢、陰茎の位置でもある。左右の股間裂３８は、股点領域から前方に伸びている。股点３５の会陰は、肛門と生殖器との間の領域である。会陰領域の長さは人によって異なり、性別や年齢にも多少依存する。通常、２．５ｃｍから７ｃｍの範囲がほとんどの成人をカバーし、中程度の長さは４ｃｍから５ｃｍであり、どちらの範囲も女性及び男性に適用できる。乳幼児の場合、会陰の長さは通常短くなるが、約１ｃｍ未満ではない。したがって、典型的には、着用者の股点は、肛門の前端の前方約０．５ｃｍから約４ｃｍの間に位置している。
【００３８】
本発明の範囲内で、着用者の股点３５に対応する物品の股点３０５は、物品が設計された物理的サイズの着用者であって、足を肩の幅だけ離して完全に直立した位置にある着用者の上に物品を置き、次いで、図８の構成で、大腿上部の周りに伸長可能なフィラメントを置くことによって決定することができる。フィラメントの交点に対応する物品内の点が、物品の股点と見なされる。更に、物品の股点領域は、着用者の会陰領域に対応する股点の前後に長手方向に延在している。特定のユーザの具体的な数値がない場合、股点領域は、股点の前後に少なくとも１ｃｍ伸びると見なされる。
【００３９】
本発明の一般的な機能を説明するために、図２Ａ乃至２Ｃを参照する。図２Ａは、長手方向１３及び幅方向１７を有する、使用前の構成における本発明による物品３００の実施形態の概略的且つ非限定的な上面図を示している。物品３００は、前方交差方向に延びるマージン３０３を有する前方領域３０２と、後方交差方向に延びるマージン３０７を有する後方領域３０８と、それらの間に長手方向に沿って配置された股領域３０５とを含んでいる。さらに、前方サイドパネル３２０’及び３２０’’並びに後方サイドパネル３３０’及び３３０’’は、センターピース３１０から、交差方向外向きに延びている。サイドパネルは、バックシート材料に接続された別個の材料である場合もあれば、バックシート材料の交差方向の延長である場合もある。
【００４０】
物品の「左右」対称であってもよいように、長手方向中心線に対して本質的に対称である特徴を参照する場合、ここでサイドパネルに対して示されているように、それぞれの「左右」の特徴は、それぞれ一重引用符及び二重引用符で示されるが、特徴の一般的な議論においては、引用符は使用されない。サイドパネルは、前方及び後方サイドパネルをそれぞれ接続することによって、着用者の腰の周りに物品を取り付けることを可能にする閉鎖手段３４０’及び３４０’’を含むことができる。本発明で使用するのに適した材料のほとんどは、実質的に平坦な又はウェブ材料であるため、それらは一般的に、厚さによって分離された２つの表面を示す。本文脈において、材料の第１の表面は、一般に、着用者に向けられ、第２の又は反対の表面は、少なくとも股点領域において、材料の特定の部分が折り畳まれているか又は着用者の足に向かって配置されている場合でも、着用者から離れて、又は外側に向けられている。
【００４１】
この例示的な実施形態において、物品３００は、後方又は肛門開口部３０６及び前方又は生殖器開口部３０４を更に含み、両方とも、展開手段（ＳＭ）１３００によって交差方向に広げられ開かれている。以下でより詳細に説明するように、各展開手段は、ここでは前方１３０２’及び１３０２’’、並びに、後方１３０８’及び１３０８’’に対して示される一対の展開要素を含んでいる。全体的に１４００として示され、ここでは後方プル手段１４０８及び前方プル手段１４０２を有するプル手段ストリップ１４１０として示されているプル手段（ＰＭ）は、Ｙ字形を呈するように示されており、「Ｙ」字のステム部分はそれぞれ開口部３０６及び３０４に向けられ、「Ｙ」字の脚部分は開口部から離れて横方向外側に向けられている。図示されているように、プル手段及び展開手段は、例えば、１つの材料片で作られることによって、単一であり得る。皮膚保護シート（ＳＰＳ）１５００は、開口部を除いて、センターピース３１０の領域に示されている。
【００４２】
図２Ｂは、サイドパネルが完全に外側に折り畳まれておらず、開口部、ＰＭ、及びＳＭが省略された図２Ａに示されるような使用前構成の物品を備えた、図１のような体の矢状面の部分を示している。ＳＰＳ１５００及びバックシート３１８は、実質的に同じ長手方向の延長を示している。着用すると、図２Ｃに示されているように、腰周りにおいて物品を閉鎖するためのサイドパネルの外側への折り畳みは、Ｙ字型プル手段１４０２及び１４０８の脚部の前後端部を外側に引っ張り、それにより、利用可能な長手方向の延長を縮め、その結果、開口部が肛門及び生殖器に向けて付勢されるように、プル手段１４００及びそれに接続されたＳＰＳ１５００を臀裂に押し込むが、バックシートは離間したままである。同時に、展開手段は、開口部への交差方向の引っ張りを誘発し、それにより、後方開口部が肛門にしっかりとはまり、前方開口部が生殖器が通過できるように適合されるように、所定のサイズでそれらのＣＤ延長を広げる。したがって、滲出物は開口部を通過して、ＳＰＳとバックシートの間に作成されたスペースに入り、ＳＰＳによって皮膚から分離される。
【００４３】
図３Ａ及びＢは、プル手段１４００及び展開手段１３００の特徴を参照し、図２に関連して先に示したように、これらが単一である、すなわち、複合プル及び展開手段（Combined
Pull and Spreading Means）ＣＰＳＭ１３９０と称される単一の材料からなる特定の実施形態を示している。図３Ａでは、それは製造構成で示されており、図３Ｂでは、着用者に向けられた第１の表面を視野に入れて、使用中の構成（３次元のＵ字形を示していない）を概略的に示している。十分な強度を有する従来の不織材料などの皮膚に優しい材料の単純なストリップは、完全な切断線又は裂け目の開いた線（「ｐｅｒｆ’ｎ  ｐｏｐ」）とすることができるような複数の不連続又は分離線を備えている。あまり好ましくはないが、展開手段は、別の材料ストリップとして導入されてもよい。
【００４４】
前方（１４０２）及び後方（１４０８）のプル手段は、ＣＰＳＭの前方（１３９２）及び後方（１３９８）の各々のマージンから延び、それぞれが点Ｆ及びＡで示され、物品の前部及び後部マージン（それぞれ、図２Ａ、３０３、３０７に示す）と一致する不連続部１４０３及び１４０７を含んでいる。不連続部は、股点３０５に向かって延び、上記のＹ構造の結節点に対応する点Ｅ及びＢで、それぞれ停止している。Ｙ構造のステム、それぞれ、１４０４及び１４０６は、結節点Ｅ及びＢから股点に向かう方向に、開口部３０４及び３０６の不連続部まで更に延びている。これらの不連続部は、股点３０５に向かう方向に更に延びるが、そこには到達せず、その結果、分離されていない領域が股点領域に残る。
【００４５】
図２及び３に示されるような例示的な実施形態について、展開手段１３００は、前方開口３０４に対して一対の部分的に分離されたストリップ１３１２’及び１３１２’’として、後方開口３０６に対して１３１８’及び１３１８’’として、実行される。これらのストリップは、分離線１３１３及び１３１７によってＣＰＳＭ材料から部分的に分離されており、これら分離線は、ＣＰＳＭの長手方向サイドマージン１３９５’及び１３９５”から延びているが、それぞれが開口部３０４及び３０６のための不連続部と交差する前に終了している。これにより、展開手段ストリップ１３１１’、１３１１’’、１３１９’、１３１９’’の長手方向に延在するサイドマージンとの交差部分、即ち横方向外向きの端部１３１２、１２１８は、開口部のちょうど横方向外側に位置し、それぞれの不連続部の長さの中央付近（点Ｃについて示されるように）又はより股点の方に向かって（点Ｄについて示されるように）位置している点Ｃ及びＤよりも股点３０５から更に離れている。
【００４６】
これらの不連続部に加えて、ＣＰＳＭは、衛生用品の他の要素に接続するための接続点を含んでいる。
【００４７】
プル手段の機能に関しては、以下でより詳細に説明するように、前方マージン１４１２の近くで点Ｆに対応する前方プル手段連結領域１４０１’及び１４０１’’と、後方マージン１４１８の近くで点Ａに対応する後方プル手段連結領域１４０９’及び１４０９’’とは、それぞれ、不連続部１４０３及び１４０７の横方向外側に位置し、センターピースの折り畳まれた部分及びサイドパネルに連結する。
【００４８】
同様に、以下でより詳細に説明するように、展開機能は、各接続領域１３１４’、１３１４’’、１３１６’、１３１６’’における横方向外向き端部１３１１’、１３１１’’、１３１９’、１３１９’’をセンターピースの折り畳まれた部分及びサイドパネルに接続することによって、可能になる。
【００４９】
更に、不連続部を形成する開口部３０４及び３０６の周辺部は、以下に説明するように、対応する不連続部を含むＳＰＳの下側部分に接続される。
【００５０】
図３Ｃに示されている通り、ＣＰＳＭ１３９０を含む衛生物品３００は製造構成において示されており、使用前構成において図２Ａに示される物品に対応している。例示的な物品は、前方サイドパネル３２０’及び３２０’’と、閉鎖手段３４０’及び３４０’’を備えた後方サイドパネル３３０’及び３３０’’と、センターピース３１０とを含んでいる。センターピース３１０は、少なくとも上述したようにＳＰＳシート１５１２と、バックシートとを備え、バックシート３１８は、典型的には、必ずしも吸収性コア（図示せず）である必要はないが、折り畳まれた「Ｃ字形」を呈し、長手方向に延びるサイドマージン３１４’及び３１４’’を有し、物品の長手方向中心線１５に向かって、しかしそれを越えることなしに、長手方向の折曲げ線３１６’及び３１６’’に沿って、この折り畳み部分３０９においてバックシート３１８が観察者に対向するように、折り畳まれている。センターピース３１０は、トップシート側とも呼ばれる第１の表面３１３を示し、これは、折り畳まれた領域から離れて、使用中の構成において着用者の方を概して向いており、図３Ｃの製造構成では、単に前方マージン３０３において見えるだけである。図２及び図３に例示的に示されるような実施形態において、この表面は、上記のようにＳＰＳのものである。サイドパネルは、長手方向サイドマージン３１４に近接してこれらの折り畳まれた部分に接続されており、製造構成の別の変形例では、この製造構成が実質的に長方形になるように、センターピースの長手方向の折り畳み線の周りに下方に折り畳むこともできる。
【００５１】
物品は、サイドパネルエクステンション、バリア脚カフ、脚フープ、脚弾性部、腰弾性部、ランディングゾーン、並びに現在購入可能な製品に使用される関連するファスナ、ローション、印刷、及び他の要素などの、当技術分野では周知の様々な他の機能的又は美的要素を更に含み得る。
【００５２】
ＣＰＳＭストリップ１３９０は、上述したように分離線１３１３、１３１７、１４０３、１４０７が切断されるか又は他の方法でそれに適用された状態で、折り畳みの実行前に、センターピースの第１の表面又はＳＰＳの第２の表面に位置決めされる。接着剤又は溶融融着ボンディングドット若しくはラインなどの接続手段を、開口部３０４及び３０６のための不連続部の周辺の接続領域１３０３及び１３０７に対して、センターピースの第１の表面３１３又はＣＰＳＭの対応する領域、即ちＣＰＳＭのユーザ指向表面１３９７の反対側に適用して、ＣＰＳＭがセンターピース上に置かれたときに接続が確立され、任意選択的に、例えば加圧ローラーによる圧縮によって強化されるようにすることができる。更に、接着点又は線などの接続手段は、接続領域１３１４、１３１６、１４０１、１４０９、又はセンターピースの第１の表面上の対応する領域に適用することができ、その結果、折り畳みによって接続が確立されるときに、任意選択的に例えば加圧ローラーによる圧縮によって、強化される。したがって、この製造構成では、ＣＰＳＭはセンターピースに、
−ＳＰＳ及びＣＰＳＭに位置合わせされた開口部３０４及び３０６の周辺の中央部分において、及び、
−折り畳まれた部分の長手方向サイドマージンに沿って、
接続される。
【００５３】
本発明の原理は、ここで、製造構成からの変換を考慮することによって説明することができる。図３Ａ及びＣの製造構成から図２Ａ及びＢのような使用前の構成へ、そして図２Ｃ及び図３ＢにおけるＣＰＳＭの単純化した図に示される使用中の構成への変換を参照されたい。
【００５４】
サイドパネルが交差方向外方に引っ張られると、サイドパネルがＣＰＳＭに接続されている点Ａ’及びＡ’’も交差方向外方に引っ張られ、前方及び後方ＰＭの「Ｙ」字の脚部が交差方向外方にヒンジされて、その実効的な長手方向の長さ、即ち長手方向中心線１５に射影される長さが縮められる。これを、装着及び実質的に平坦な形態から一般的にＵ字形の形態への変換（図２Ｂ及びＣ参照）と組み合わせる場合、この短縮化によって、プル手段が使用者の臀裂へと持ち上げられる。
【００５５】
プル手段を通じたこの持ち上げと同時に、展開手段、特に接続領域１３０３及び１３０７もまた、臀部を横切って後方に股裂部を通って延びる線に沿って持ち上げられる。これは、ＳＭストリップ１３１２及び１３１８に沿って、交差方向の牽引力を誘発し、これらの牽引力を開口の不連続部に更に伝達し、結果的に、交差方向に開口させ、それによって、前方及び後方ＰＭよりも程度は少ないものの、更なる縮み効果を生じる。
したがって、図３Ａと図３Ｂとを比較すると、使用時の構成では、後方マージン点Ａから前方マージン点Ｆまでの長手方向の距離は著しく減少するが、点ＢとＥとの間の距離はわずかに短くなるだけである。
【００５６】
これは、従来のアプローチに対する本発明の特定の違いである。例えば、上記のＥＰ３５９４１０Ａ１を参照すると、弾力性のある２次的なトップシートは臀裂を越えて臀部の一方から他方へと広がっており、排便時には糞便が臀裂に沿って移動し、皮膚の広範囲を汚し得る。本発明において、この引っ張りは、純粋に幾何学的な効果であり、使用される材料の伸張性や弾性を必要としないことに留意されたい。本文脈において、材料は、通常の製造条件に対応するひずみの適用時に、計測された長さに対してその機械方向に５％を超えて、好ましくは２％を超えて伸びない場合に、非弾性とみなされる。
以上、本発明の原理を説明したが、個々の特徴のための必ずしも排他的ではない様々な実施形態について更に説明する：
【００５７】
図３Ａでは、ＣＰＳＭストリップは、結合線及び分離線を収容するのにちょうど十分なＣＤ幅を有することができる狭いストリップとして示されており、即ち、典型的には、長手方向中心線から横断方向に約５ｍｍ以上延在している。機能性及び材料使用効率の観点から、ストリップは、幅を広くする必要はないが、例えば、美観上の理由から、ストリップは、製品が展開されるときに股部の全幅を覆うように、折り畳まれた部分に向かって横方向に延在し、ほとんどがその下に延在していてもよい。図３Ｄに概略的に示されているように、交差方向カットライン１３１１、１３１９は、トップシート材料の自由な縮み率を可能にするために十分に延びているべきである。また、幅広ＣＰＳＭストリップの側端部における取り付けは、縮み率を制限しない点を除いては特別に重要ではなく、例示的に示されている（１４９０）。
【００５８】
図４Ａには、拡散機能を実施する代替案が示されており、ＳＭストリップ１３１２、１３１８は、センターピース３１０の重なり部分３０９から部分的に分離されたストリップとして示されており、それにより、ストリップは、部分的に分離され、例えば、そこから切断され、センターピースの長手方向の折り畳まれたサイドマージン３１４から終端点１３２２、１３２８に向かって延び且つ交差し、終端点は、折り畳まれた領域内に位置するが、開口部３０４，３０６の不連続部の横方向外側でＰＭにｚ方向に重なっており、それにより、長手方向に延びたサイドマージンの交差部は、ＳＭ分離線１３１３、１３１７の終端点１３２２、１３２８よりも股点３０５からより少なく離れている。次いで、ＳＭストリップは、それぞれ開口部３０４，３０６の不連続部の近傍でＰＭに接続され、その後、実質的に上述のように機能する。
【００５９】
図４Ｂを参照すると、折り畳まれた部分は、開口部の周囲に直接的に接続されて、装着時に広がり効果を直接的に誘導するようにされていてもよい。
【００６０】
別の実施形態は、プル手段ストリップ１４１０としてのプル手段の実施形態に関するものであり、図５Ａ〜５Ｈを参照されたい。上記の説明のために、前方及び後方開口部を含む物品の全長にわたって実質的に延びるＣＰＳＭが使用されたが、図５Ａを参照して、１つの開口部しか必要としない応用が多数あり、これは肛門に位置合わせされた後方開口部３０６であっても、生殖器に位置合わせされた前方開口部３０４であってもよい。これらすべての実施形態では、ＰＭストリップ１４１０の前方（１４１２）又は後方マージン（１４１８）は、物品のそれぞれのマージン３０３，３０７と一致する。
【００６１】
図５Ｂに示す実施形態では、ＰＭストリップは、物品の前方マージン３０３から後方開口部３０６の不連続部に向かって延びているが、それに達する前に停止している。図５Ｃに示されているように、ＰＭストリップは、物品の前方マージン３０７から前方開口部３０４の不連続部に向かって延びているが、それに達する前に停止している。これらの実施形態についても、折り畳まれた部分は、開口部の周囲に直接的に接続されて、装着時に広がり効果を誘導するようにされている。
【００６２】
図５Ｅに示される実施形態の場合、プルストリップは、物品の前方マージン３０３から前方開口部３０４のための不連続部に向かって延在し、これに沿って連続しており、一致する不連続部も含んでおり、股点領域に達している。対応して、図５Ｄに示されているように、プルストリップは、物品の後方マージン３０７から後方開口部３０６のための不連続部に向かって延在し、それに沿って連続していてもよく、整合する不連続部を含み、股点領域に達していてもよく、又は、物品の後方マージン３０７から前方開口部３０４のための不連続部に向かって延在していてもよいが、それに達する前に停止している（図５Ｆ参照）。
【００６３】
さらに別の実施形態は、図５Ｇ及び５Ｈに示されるようなオプションを、ＳＭストリップ（図４の１３１２、１３１８参照）がセンターピース３１０の折り畳み部分３０９から部分的に分離されたストリップであって、それぞれ図５Ｇ及びＨに示されるようなＰＭストリップ取り付け点１３１６を生じる実施形態と組み合わせることができる。
【００６４】
更に、本発明は、意図された使用及びそれぞれの開口部の存在に適合されたＳＰＳ１５００及び任意のＥＳＳ１６００を組み込むための様々なオプションを含んでおり、それらは、長手方向中心線１５に沿った断面図を示す図６Ａ〜Ｇを参照して、また、他の特徴を省略したＳＰＳ上の上面図を示す図７Ａ〜Ｇを参照して、更に説明される。
【００６５】
図７において、センターピースは、（図７Ａにおいて点線として代表的に示されるように）折り目線３１６に沿って長手方向サイドマージン３１４を折り曲げる前、即ち、ＰＭ、ＳＭ、又はＣＰＳＭと組み合わせる前の、特定の製造構成で示されている。任意選択に、図６及び７に示されているように、前方及び後方交差方向マージンは、前方及び後方マージンのエンドマージン接続部３５２，３５８によってそれぞれ示されているように、その段階で接続されてもよい。更に、吸収性コア３１５は、他の実施形態にも適用され得るように、バックシート３１８とユーザ指向ＳＰＳ１５００との間に配置されている。
【００６６】
−主に糞便を受け入れるように適合させるために、後方開口部３０６が重要である。多くの場合好ましくはないが、この場合、吸収性コアを省略して、糞便浸出物のみを捕捉できるようにすることが十分に企図される可能性がある。最上層としてのＳＰＳは、便に含まれる液体の皮膚への逆浸透を最小限にするために、疎水性又は更には液体不浸透性であることが好ましい。
【００６７】
−主に尿又は月経の取り扱いを改善することを目的とする場合、前方開口部３０４は、疎水性又は液体不透過性のＳＰＳと組み合わせることができ、その結果、尿若しくは月経、又は尿若しくは月経を放出する生殖器が前方開口部３０４を通過し、浸出物が捕捉され、好ましくは吸収性コアによって固定される。
【００６８】
−尿及び／又は月経と同様に糞便を受け取ることを目的とする場合には、糞便がＳＰＳを通過することを可能にする後方開口部３０６が存在すべきである。ＳＰＳは、物品の後部において、疎水性又は液体不透過性であることが更に好ましい。また、尿又は月経受容部については、尿又は月経受容部への親水化剤の適用と、前方開口部を有するものとを、適宜選択することができる。
【００６９】
更に、浸出物分離シート（ＥＳＳ）１６００を適切に設計に導入することができる。このようなＥＳＳは、吸収性コアとＳＰＳとの間に配置され、股点領域で後者に接続され、そこから後方及び／又は前方に延びている。ＥＳＳは、液体の通過を許可する場合と許可しない場合、又は液体を一方向にのみ通過させる場合がある。
【００７０】
ほとんどの実施形態において、ＥＳＳは、好ましくは堅固であるが、好ましくは交差方向に延在することができる柔軟で液体不透過性の接続によって、股点領域内のＳＰＳに接続されることが好ましい。
【００７１】
前の議論では、ＥＳＳを欠いた前方及び後方開口部を有するＳＰＳのあまり好ましくないオプションが説明されているが、図６Ａ〜Ｇ及び図７Ａ〜Ｇは、この設計変数の組み合わせに関する更なるオプションを示している。
【００７２】
−図６Ａ及び図７Ａにおいて、ＳＰＳ１５００は、糞便を受け取るのに適しているように、後方開口部３０６のための単一の後方不連続部を含み、ＥＳＳを含まず、また、尿を受け取ることも可能にするために生殖器の領域におけるＳＰＳの液体透過性部分を含んでいる。
【００７３】
−図６Ｂ及び７Ｂは、股点領域から後方に延び、（この図では）ＳＰＳの下にあるＥＳＳ１６００の追加に関する。図示されているように、これは、後部のＳＰＳと実質的に同一の広がりを持つ「ポケット」を生成する。ＥＳＳのＳＰＳ１７００への接続は、他の接続、例えばエンドマージン接続３５２，３５８から分離されていてもよく、又は、他の接続と結合されていてもよい。この実施形態は、尿を受け入れることも可能にするために、生殖器の領域におけるＳＰＳの液体透過性部分を含んでいることが好ましい。
【００７４】
−図６Ｃ及び７Ｃは、図６Ｂ及び７Ｂと同様の実施形態に関連しているが、ＥＳＳ１６００がＳＰＳの後部と同一の広がりを有しておらず、より狭い、より短い、又は図示のようにその両方であってもよい点において異なっている。図７Ｃに、後方に延びるＥＳＳ及びＰＭのオプションについて更に示されているように、前方開口部がない場合、ＥＳＳは、交差方向に延びる分離線１５１０、例えば、股点領域のすぐ前方にあるカットライン又はスリットを含むことができ、ＳＰＳが性器に向けて引っ張られない性器ポケットを形成することを可能にすることによって、着用者により快適さを提供する。
【００７５】
−図６Ｄ及び７Ｄは、乾燥した皮膚を達成するのに好適であり得る更なる実施形態を更に示しており、ここで、ＳＰＳは疎水性又は液体不透過性ウェブとして実施され得るが、糞便物質は前方領域に延在するＥＳＳによって分離され得る。図６Ｅ及び７Ｅに示されている通り、ＥＳＳはＳＰＳと同程度の大きさであってもよいが、より小さくてもよい。
【００７６】
−図６Ｆ及び７Ｆに示されている実施形態は、全長にわたって同一の広がりを有するＳＰＳおよびＥＳＳを含み、好ましくは股点領域において液体バリアとして実行される接続ラインを有している。
【００７７】
−図６Ｇ及び７Ｇに示されている更に別の実施形態において、ＥＳＳは全長にわたって延在しているが、上にあるＳＰＳは後部のみを覆っており、両者は股点領域内で接続され、好ましくは液体バリアとして実施される。
【００７８】
本発明の機能性のために、ＰＭがｚ方向にＳＰＳの上（即ち着用者に向かって）に配置されるか又は下（即ち着用者から離れて）に配置されるかは、必須ではない。図８Ａ〜Ｃは、図８Ａを用いた設計を概略的且つ例示的に示しており、図８Ａは、折り畳み前であるが接続線１７００によってセンターピース（図示せず）に既に接続された図を示しており、図８Ｂは折線３１６に沿った折り畳み後（図８Ａにおいて折り畳み矢印１８００によって示されている）を示しており、図８Ｃは中心線１５に沿った断面図ＡＡを示している。ＳＰＳ１５００は、全長にわたって延びており、３つの分離されていない部分１５２２、１５２５及び１５２８をそれぞれ除いて全長にわたって中心線１５に沿って分離され、例えば、切断される。更に、ＳＰＳ内の前方（１５３２）及び後方（１５３８）カットアウトは、好ましくはＰＭストリップ１４１０の幅とほぼ同じ幅で示されているように、前方（３０３）及び後方（３０８）マージンに向かって及びそれらに達するように設けられており、これにより、折り畳み後に露出したＰＭにサイドマージンを適切に結合することができる。更に、図８Ａには、ＳＰＳの下に、破線で示されている長手方向に延びるサイドマージン１４０５を有する、プル手段ストリップ１４１０が示されている。また、プル手段ストリップ１４１０は、３つの分離されていない部分１４２２、１４２５、１４２８（図８Ｃ参照）を除いて、長手方向中心線１５に沿って分離されている。更に、ＥＳＳ１６００は、ＳＰＳ及びＰＭの下の前方に配置され、少なくともその前方マージンは、図８Ａ及びＢに股点３０５のすぐ後方に示されている点線で表されるＳＰＳ及びその後方マージン１６０８のものと一致している。ＰＭ及びＳＰＳは、前方開口部（３０４）及び後方開口部（３０６）のある部分の側方外側の前方及び後方（それぞれ１７１２及び１７１８）において互いに接続されている。ＳＰＳの第１の表面は、前方（１７２２）及び後方（１７２８）ＳＰＳの折り畳み接続における拡大を可能にするように、折り畳み部分に接続される。また、折り畳み部は、ＳＰＳ内の前方（１５３２）及び後方（１５３８）カットアウトを介して、ＰＭストリップに、それぞれ折り畳み−ＰＭ接続部１７４２及び１７４８で接続されている。装着時には、物品は、ＳＰＳがＰＭストリップの大部分を覆っていることによってより好ましい外観を与える点を除いて、上述し図２Ａに示されているのと同様に、展開される。
【００７９】
前方及び後方カットアウト５１３２、１５３８の領域における潜在的な漏れを回避するために、ＥＳＳは、その股点マージン１６０８から前方に向かってＳＰＳの前方マージンを越えて延びていてもよく、製造中において、先行する物品の後方マージンへと延びていてもよい。図８Ｄ及びＥに示されているように、これは、前方マスキング接続１９１２を追加して、前方マスキング接続１９１２に沿ってＥＳＳをＳＰＳに接続することによって達成することができる。同様に、後部において、マスキングシート１９００（別個に追加されてもよいが、好ましくは、製造中に、上記のようにＥＳＳをＳＰＳの前方マージンを越えて延長することによって生成される）を追加し、カットアウト接続部１９１８によって、ＳＰＳ横後方カットアウト１５３８に接続されてもよい。
【００８０】
展開手段の異なる実施形態に関連して、本発明の更に別の実施形態が図８Ｆに示されている。この実施形態においては、ここで後方開口部３０６について説明した開口部は、直交方向に引っ張られて開放されるスリットとして実施されるのではなく、ここでは楕円形状で示したカットアウト部として実施される。交差方向の開口部は、ここでは周辺補強材１８５０として示されている補強手段によって、使用中に維持される。このような補強材は、限定されないがシリコーン又はゴムのような軟質材料の中空円筒から、厚さが３ｍｍ未満、好ましくは２ｍｍ未満、又は更には１ｍｍ未満の薄いスライスとして切断された軟質リングであってもよい。リングスライスは、回転アプリケータ又は他の適切な手段によってＰＭに適用されてもよく、適切な接着剤（図示せず）によって接続され得る。補強手段はまた、例えば従来の印刷装置によって、流体又は軟化状態で材料を適用することなどによって、その場で成形されてもよい。このような材料は、低温状態で十分な柔らかさを備えた従来のホットメルト接着剤であり得る。それはまた、ＷＯ２０００／０００２３５Ａ１に記載されているような皮膚接着剤であり得る。
【００８１】
本発明の更なる実施形態は、図８Ｇ及び８Ｈに示されている。図８Ｇでは、物品は、図８Ｄに示されているものと類似の態様で描かれている。しかしながら、前方（２００２）及び後方（２００８）のカットアウトがバックシート３１８（図８Ｈ参照）に適用され、前方（２０１２）及び後方（２０１８）カットコネクションがＳＰＳ１５００のカットアウト横方向外側においてバックシートと接続するように適用されている。ＰＭストリップ１４１０は、吸収性コア３１５とＳＰＳ１５００との間のｚ方向に位置し得るように、上述したように、物品の股領域内にあり、少なくともバックシートカットアウト２００８を通って延在しているが、最も好ましくは、フロントバックシートカットアウト２００２も通って延在している。もし存在するならば、ＥＳＳ１６００及び吸収性コア３１５は、このカットアウトの手前で停止している。前方及び後方コアマージンが図８Ｇには示されていない前方ＥＳＳマージン１６０２を参照のこと。ＰＭストリップ１４１０の前端及び後端は、それぞれ、当技術分野で周知の機械式ファスナーフックパッチとして非常に好適に実施され得るＰＭストリップ固定手段２０２２及び２０２８を含んでいる。そのようなパッチは、例えば図８Ｈに例示されているように、固定手段２０２２及び固定手段係合面２０２３を有する前方領域において、その係合面をＳＰＳに向けて適用することができる。そのようなパッチはまた、例えば図８Ｈに例示されているように、固定手段２０２８及び固定手段係合面２０２７を有する後方領域において、その係合面をサイドパネル（図示せず）に向けて適用することもできる。上述の実施形態とは対照的に、このような設計は、物品がユーザに装着された後にＭＤ短縮を作動させることを可能にし、その結果、短縮の程度、即ち臀裂内への引っ張りをユーザごと特徴に応じて調整することができる。この目的のために、物品は、着用され、その後、ＰＭストリップが、ＰＭストリップ固定手段によって、物品の横方向外側に引っ張られて固定される。このような設計のために、ＰＭストリップは、弾性ストリップとして実行されてもよく、次いで、着用者のウエストを少なくとも部分的に取り囲むように伸長され、それによって、身体に対するウエスト固定を補助してもよい。
【００８２】
当業者はまた、液体又は糞便収集手段などの更なる滲出物処理手段は、吸収性コアに組み込まれていてもよく、若しくは追加されていてもよく、又は吸収性コアとＳＰＳ若しくはＥＳＳとの間に配置されていてもよいことを理解するであろう。
【００８３】
また、全ての不連続部は、材料がプロセスの少なくとも一部の間接続されたままであるが、少なくとも着用時及び使用中の構成において容易に分離されるように、断続的な切断線又は穿孔線（「ｐｅｒｆ’ｎ  ｐｏｐ」とも呼ばれる）などの分離が不完全である部分的に分離された線として実行されてもよい。前方開口部及び後方開口部については、ｘ−ｙ延長部は、製造構成から使用構成への移行時に、それぞれの分離線から形成される。不連続部は、しばしば好ましくは、カットなどの分離ラインとして実行されてもよいが、製造構成のこの時点で既に開口部を形成するようにウェブから材料を除去することによって形成されてもよい。種々の要素の接続は、熱若しくは圧力接合、又は音波、好ましくは超音波接合などの任意の従来の手段によって達成することができるが、特に、折り畳み領域を含む接続の場合、加工性の観点から適切な接着剤の使用が好ましい。
【００８４】
当業者であれば容易に理解できるように、「点」、例えば「接続点」という用語は、例えば接続に適用される技術に対応する一定のサイズを示すことができる。それゆえ、接着剤タイプの接続点は、周囲領域の機能性に影響を与えない程度に十分に小さい接着剤のパッチを含んでいる。同様に、「線」、例えば「接続線」という用語は、特定の幅を示し得る。また、この用語は、例えば、ドット接着剤又は超音波接合線を含む中断された線、並びに多数の（サブ）線を含む線又は多数のより小さな接合点から形成される接合点などの接合パターンを含む。同様に、「領域」という用語は、「線」としても見られる可能性のある長いが狭い領域を包含している。
【００８５】
ＣＰＳＭの幅は、少なくとも、折り畳まれたサイドマージン部同士の距離としての折り畳みギャップ幅に、ＣＰＳＭを折り畳まれた領域に位置決めして接続するための加工公差を加えたものでなければならない。この機械加工公差は、非常に小さくてもよく、例えば約５ｍｍ未満であってもよいが、材料使用効率の理由から、約１０ｍｍ又は２０ｍｍを超えるべきではない。一般的に、ＳＰＳ、ＰＭ、ＣＰＳＭ、又はＳＭは、快適性又は健康面に妥協しないなど、着用者の下胴部に着用される衛生用品に適用される一般的要件を満たす広範な原料から製造することができる。特定の用途への日常的な適応は、材料の強度、柔らかさ、空気及び液体透過性等を決定する。特に、物品が大規模生産を意図している場合、材料はウェブ材料であることが好ましい。
【００８６】
一般に、用語「ウェブ」は、１つの方向（一般に「ｘ方向」又は「機械方向」と称される）に実質的に無端であるか又は連続している任意の材料に関する。ウェブは、しばしば、必ずしもそうではないが、ロール形態で格納され、供給され、又は使用され、それゆえ、時には「ロール商品」とも称される。これらは厳密な意味で「無限」ではないが、このｘ方向への延長は、他の方向への延長よりもかなり大きい。連続したロール又は他のバッチを組み合わせることによって、このようなウェブは、あらゆる実際的な目的のために「無限」とみなすことができる。ウェブは、ロールが出荷されるときのような「バッチ」形態で輸送されてもよく、又は以下に説明するように、ウェブがロールから巻き戻されるときのような「ウェブ経路」に沿って輸送されてもよい。ウェブの典型的な例としては、プラスチックフィルム若しくはフォイル、任意選択的に開口部を設けたもの、織物、不織布、ネット、又はクリムが挙げられるが、これらに限定されるものではない。
【００８７】
ＳＰＳ及びプルストリップ材料は、好ましくは、柔軟性があり、ソフトな感触であり、着用者の皮膚に刺激を与えないものであり、多孔質フォーム、網状フォーム、開口プラスチックフィルム、又は天然繊維の織網若しくは不織網（例えば、木又は綿繊維）、合成繊維（画例えば、プロエステル又はポリプロピレン繊維）、又は、天然及び合成繊維の混合物などの広い範囲の材料から製造され得る。それらが繊維を含む場合、繊維は、スパンボンド（ｓｐａｎｂｏｎｄｅｄ）、カード（ｃａｒｄｅｄ）、ウエットレイド（ｗｅｔ−ｌａｉｄ）、メルトブロウン（ｍｅｌｔｂｌｏｗｎ）、ハイドロエンタングルド（ｈｙｄｒｏｅｎｔａｎｇｌｅｄ）、又は当技術分野で公知の他の方法で処理されていてもよい。それらは、スパンボンドされたウェブと組み合わせたオープンネット又はスクリム構造を含む場合などの複合材料であってもよい。
【００８８】
好ましくは、ＳＰＳは、糞便の通過に対して低い傾向を示す。任意選択的に、ＳＰＳは、ｚ又は厚さ方向勾配構造を示すことができ、又は、積層体若しくは複合材料であってもよく、例えば、使用者に向けられた表面上で特に皮膚に優しい特性、又は反対側の表面上で特定の便吸収性を示すことができ、これは、低粘度又は「さらさらした」便の場合に特に有益であり得る。
【００８９】
任意選択的に、ＳＰＳは、ストライプ（ｙ方向のバリエーション）又は接続されたパッチ（ｘ方向のバリエーション）などの複合材料であってもよい。
【００９０】
任意選択的に、ＳＰＳは、皮膚軟化剤等の皮膚親和性向上剤のような当技術分野で周知の添加剤を含んでいてもよい。
【００９１】
ＳＰＳが前方開口部のない尿又は月経の領域により前方に延びている場合、少なくともこれらの領域では、使用される材料の性質又は処理によって親水性であるなど、良好な液体透過性を示すべきである。滲出物が通過することを可能にする前方開口部を含む実施形態の場合、ＳＰＳは、例えば、疎水性不織布、フィルム、又はそれらの複合体など、流体不透過性であることが好ましい。
【００９２】
本発明の任意の実施のために、ＳＰＳ、ＰＭ、又はＣＰＳＭの様々な領域の長手方向の延長は、それらの相対的な長さが、全長とは無関係に、特に、着用者上の組み合わされた物品の長さとも無関係に、即ち、成人又は乳児の何れのために設計されている場合でも、大きく変化しないことが好ましい。相対寸法をより良く説明するために、ＳＰＳの後方ウエストマージンの前方ウエストマージンまでの距離が１００％に設定された場合、次の範囲が、製造構成における特徴点間の距離に対して好ましい。ここで、物品の前駆体は、物品の全長に対応している。
−後方ウエストマージンＡから「ノード」点Ｂまで：１０％から２５％；
−接続ＢからＣまで：２０％から４０％；
−ＣからＤまで：１５％から２５％；
−ＤからＥまで：５％から２５％；
−ＥからＦまで：１０％から２５％、
これにより、それぞれのパーセンテージ値の合計は１００％になるはずであり、さらに開口部などの特徴点が存在しない場合には、この概念上の点の隣接範囲が組み合わされる。
【００９３】
なお、肛門不連続部の前方の長さは、本発明の実施形態の機能性を確保する上で大きな意味を持たないことに留意されたい。
【００９４】
別の態様では、本発明は、図９の文脈で説明するような衛生用品の製造に関する。
一般に、このプロセスは、衛生物品の製造のための当技術分野で周知のユニットを含む装置上で実施することができ、典型的には、この連続プロセスの最後に、衛生物品が前駆体複合ウェブから分離され、次いで、更なる折り畳み及び包装などの更なる処理が行われるまで、接着剤又は粉末などの他の材料を任意選択的に添加して、実質的に連続的なウェブ材料を組み合わせ、取り扱い及び処理する連続的なプロセスである。
【００９５】
したがって、本発明を実施するための装置は、少なくとも
−様々なウェブマテリアルのための巻き戻しスタンド（ｕｎｗｉｎｄ  ｓｔａｎｄｓ）；
−ウェブ材料の位置決め及び張力を制御するためのウェブガイド手段；
−ウェブ材料から断片を切断するための、及びスリットなどの実質的に機械方向の分離線を適用するための、回転ナイフなどの分離手段；
−ウェブ又はウェブ断片を所定の相対位置に配置するための結合手段であって、任意選択的に分離手段と組み合わせて用いられる、いわゆる「カットアンドプレイス」ユニットなどの結合手段；
−所定の長手方向の折り目線に沿って長手方向の折り目を適用するための折り畳み手段であって、任意選択的に、少なくとも製品製造の最終段階で交差方向の折り目にも適用される、折り畳み手段；
−接続手段であって、
接着剤による接着、典型的には必ずしもホットメルト接着剤タイプではないが、以下を有する接着、
・点、線、又は領域など、所定の接着剤領域への接着剤の適用、
・所定の相対位置での材料の結合、
・キュアリング、硬化、又は最も好ましい冷却などの通常の使用条件下で接続を永続的にすること；
熱及び／又は圧力、摩擦、又は好ましくは音波、より好ましくは超音波エネルギーを結合点、線又は領域に適用することなどによる溶融溶融接合；
を含んだ接続手段。
【００９６】
これらの装置ユニットの全ては、製造ラインを操作するための通常の駆動及び制御手段と同様に、衛生用品製造の当業者にとって周知である。
【００９７】
本発明によれば、図９を参照して説明するように、複数の製品ヴァリアントは複数のプロセスオプションを意味している。図９に示すように、プロセスは、完成品の長手方向と整列した一般的なプロセス方向１４に沿って進行する。なお、この説明は、必ずしもプロセスのタイムラインに沿ったものではなく、後述するようなプロセスステップを、他のプロセスステップよりも早く、又は同時に実行してもよい。本発明を実施するために不可欠なステップは、実線で示され、任意のステップ又は材料フロー線は破線で示されている。
【００９８】
それゆえ、このプロセスは、原材料を提供するステップを含んでいる。
−巻き戻しスタンド又は箱とすることができるセンターピース供給ユニットによってセンターピースウェブ８１３０を供給すること（８１３１）によってセンターピースウェブを提供すること。或いは、このウェブは、バックシート、サイドパネル、及び任意選択的に吸収性コアを含む個々のウェブ材料から上流工程段階で形成することもできる。ＣＰは、完成された衛生用品の全長に対応する反復長さを含み、それによって、マーカなどによって、又はプロセス設定によって、連続ウェブにおいて認識可能であるように、前後の交差方向のエンドマージンを示している。
−センターピースのトップシート材料として実行され得る、又は、ＳＰＳ供給手段によってそれを供給すること（８１２１）によって実行され得る、ＳＰＳウェブ材料８１２０を提供すること。
−ＰＭ供給手段によって供給すること（８１１１）によって、プル手段ウェブ材料８１１０を提供すること。
−任意選択的に、ＥＳＳ供給手段によって供給すること（８１４１）によって、ＥＳＳウェブ材料８１４０を提供すること。
−粘着剤又は接着剤を提供して（８１９０）、種々の任意の又は必須のプロセス工程において、接着剤アプリケータによって接着剤を適用すること。
−任意選択的に、ＲＭ供給手段から補強材（ＲＭ）を提供すること。
【００９９】
上で説明したように、展開手段は、幾つかのオプションによって提供することができる、即ち、
−展開手段ストリップを提供することであって、
・ＣＰＳＭ材料から、又は、
・センターピースの長手方向に折り畳まれた部分から、
部分的に分離される可能性のある、展開手段ストリップを提供することによって；  
−センターピースの長手方向に折り畳まれた部分を、開口を形成するための分離線に隣り合って、ＳＰＳのユーザ指向表面に接続することによって。
【０１００】
プル手段がＳＰＳと結合される前に、プル手段ウェブ材料８１１０に長手方向方向の中心線に沿って、ウエスト分離線として、長手方向の分離線が適用される（８１１３）が、これらが、センターピースと組み合わせた後、前縁又は後縁から離れて延びるが、プル手段の全長には亘らないようにされている。任意選択的に、ＰＭとＳＭが単一であるオプション（プル手段と展開手段との組み合わせ）の場合、部分的な分離線を適用することができる（８１１５）。ＰＭが肛門及び／又は生殖器領域並びにそれぞれの開口部に到達することを意図している場合、対応する分離ラインを適用してもよい（８１１７）。これらのステップは、個別に実行することも、単一の処理ユニットで実行することもできる。
【０１０１】
後方及び／又は前方の開口部に対応する少なくとも１つの長手方向の分離ラインは、これが分離材料８１２０として提供されるか、又は、既にプル手段と組み合わされているかにかかわらず、ＳＰＳに適用（８１２７）されなければならない。更に、ＳＰＳの下に配置されたＰＭを有するオプションのためには、少なくとも１つのウエスト領域内の製品中心線の脇にあるカットアウトが、そのカットアウトの長さ及び位置に対応する長さで、そしてＳＰＳがバックシートに結合される前のＰＭの幅に対応する幅で、ＳＰＳ内に設けられなければならない（８１２５）。
【０１０２】
任意選択的に、特にＳＰＳが既にセンターピースと結合されているオプションについては、接着剤供給部８１９０から供給されるような接着剤が、後方開口部又は前方開口部に対応する分離線の周辺でＳＰＳ（８１１９）及び／又はＰＭ（８１２９）に適用されてもよい。
少なくとも後方開口部を形成するためにカットアウトと結合された補強手段が使用される場合、結合されたＳＰＳ／補強手段ウェブをＰＭと結合する前に、補強手段のＳＰＳとのコーミング及びその後のカットアウトが実行される。
【０１０３】
ＳＰＳ−ＰＭ複合体８２００を形成するためのＰＭ８１１０とＳＰＳ（８２１０）との結合８２１０は、ＰＭの小片を分離し、これらをＳＰＳウェブ８１２０上に、例えば、切断ユニット及びスペースユニットによって位置決めすることによって達成することができる。ＳＰＳ８１２０の部品が全長ＰＭ  ８１１０又は別の全長ウェブと組み合わされる場合には、それに応じてカットアンドプレイスユニットへのインフィードを切り換えるべきである。接着剤接続（８１１９／８１２９）の場合、接着は、ローラー、任意選択的にチルドロールによって強化してもよい。或いは、ＳＰＳがまだセンターピースと結合されていない場合には、ＳＰＳ又はＰＭへの接着剤の適用は省略され、接続は溶融融着接合８２２０、好ましくは超音波接合によって達成されてもよい。開口部のための分離線が、結合８２１０の前にＳＰＳ（８１２７）及びＰＭ（８１１７）に既に適用されている場合、これは、最高の精度で達成されなければならない。したがって、これらの分離線は、結合後に、ＳＰＳ及びＰＭの両方に同時に適用される（８２３０）ことが好ましいかもしれない。
【０１０４】
ＥＳＳ８１４０が、ＥＳＳ供給ユニットから供給される８１４１ときに含まれるべきである場合には、それがＳＰＳよりも短いならば、カットアンドプレイスユニットなどの従来のユニットによってＰＭ−ＳＰＳ−ＥＳＳ複合体８３００を形成するために、ＰＭ−ＳＰＳ複合体８２００と適切に組み合わせることができる（８３１０）。好ましくは、ＥＳＳとＰＭ−ＳＰＳ複合体との接続は、前方及び後方ＳＰＳカットアウトに沿った接続を含めて、もし存在する場合、溶融融着接合８３２０によって行われ、より好ましくは超音波接合によって行われるが、接着剤８１９０をＥＳＳ８１４３及び／又はＰＭ−ＳＰＳ複合体８２３３に適用することによっても達成することができる。ＥＳＳが物品の全長にわたって延び、ＳＰＳが一部（例えば図６Ｇ及び７Ｇ参照）のみを覆うオプションは、必要に応じて、しかるべき変更を加えた上で実行される。同様に、マスキングシートは、このシートのための追加の供給手段が必要とならないように、製造プロセス中に、物品マージンを越えて隣接物品の後部に前方ＥＳＳを延長して適用することができる。
【０１０５】
ここで、必要に応じて、ＰＭ−ＳＰＳ−ＥＳＳ複合体８３００を長さ方向に切断することによって、ＰＭ−ＳＰＳ−ＥＳＳ複合体８３００をセンターピース８１３０と結合して８４１０、平坦な物品前駆体８４００を形成することができる。この複合体８３００とセンターピース８１３０との間の接続は、好ましくは溶融融着接合８４２０によって、より好ましくは超音波接合によって行われるが、接着剤供給源８１９０から供給される接着剤を用いて、複合体８３００及び／又はセンターピース８１３０に、それぞれ接着剤を適用すること８１３４及び８３４０によって行うこともできる。
【０１０６】
ＳＭが折り畳まれた部分から部分的に切断された分離ストリップとして実行される任意の設計実行において、ストリップを形成するための分離線は、折り畳みを実行する前に適用８４２０され得る。
【０１０７】
折り畳み８４４０の前に、又はそれと同時に、接着剤供給源８１９０から供給されるような接着剤が、上記で説明したように、ＰＭ、ＳＭ、ＣＰＳＭ、又はセンターピースのそれぞれの接続点において、平坦な物品前駆体８４００に適用される（８４３０）。
【０１０８】
折り畳み８４４０は、ガイドレール又はフィンガなどの従来の手段によって実行される。必要に応じて、折り目は、圧力ロール（図示せず）のセットによって安定化することができる。
【０１０９】
それゆえ、一連の折り畳まれた衛生物品前駆体８９００を有する本質的に連続したウェブは、最終処理工程８９１０に送られ、そこで個々の物品の一連に切断され、さらに折り畳まれ、包装されてもよい。
【０１１０】
当業者はまた、このプロセスが、閉鎖手段の適用、パンツ型物品を形成するためのサイドパネルの閉鎖、湿潤インジケータの適用などのさらなる処理ステップを含み得ることを容易に理解するであろう。
【図１】
2021536301.tif 000003
【図２Ａ】
2021536301.tif 000004
【図２Ｂ】
2021536301.tif 000005
【図２Ｃ】
2021536301.tif 000006
【図３Ａ】
2021536301.tif 000007
【図３Ｂ】
2021536301.tif 000008
【図３Ｃ】
2021536301.tif 000009
【図３Ｄ】
2021536301.tif 000010
【図４Ａ】
2021536301.tif 000011
【図４Ｂ】
2021536301.tif 000012
【図５Ａ】
2021536301.tif 000013
【図５Ｂ】
2021536301.tif 000014
【図５Ｃ】
2021536301.tif 000015
【図５Ｄ】
2021536301.tif 000016
【図５Ｅ】
2021536301.tif 000017
【図５Ｆ】
2021536301.tif 000018
【図５Ｇ】
2021536301.tif 000019
【図５Ｈ】
2021536301.tif 000020
【図６Ａ】
2021536301.tif 000021
【図６Ｂ】
2021536301.tif 000022
【図６Ｃ】
2021536301.tif 000023
【図６Ｄ】
2021536301.tif 000024
【図６Ｅ】
2021536301.tif 000025
【図６Ｆ】
2021536301.tif 000026
【図６Ｇ】
2021536301.tif 000027
【図７Ａ】
2021536301.tif 000028
【図７Ｂ】
2021536301.tif 000029
【図７Ｃ】
2021536301.tif 000030
【図７Ｄ】
2021536301.tif 000031
【図７Ｅ】
2021536301.tif 000032
【図７Ｆ】
2021536301.tif 000033
【図７Ｇ】
2021536301.tif 000034
【図８Ａ】
2021536301.tif 000035
【図８Ｂ】
2021536301.tif 000036
【図８Ｃ】
2021536301.tif 000037
【図８Ｄ】
2021536301.tif 000038
【図８Ｅ】
2021536301.tif 000039
【図８Ｆ】
2021536301.tif 000040
【図８Ｇ】
2021536301.tif 000041
【図８Ｈ】
2021536301.tif 000042
【図９】
2021536301.tif 000043
【国際調査報告】
2021536301.tif 000044
2021536301.tif 000045